【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
光ファイバ母材の下端部を発熱体により加熱させて、前記光ファイバ母材から光ファイバを線引きする光ファイバ製造方法であって、
前記発熱体を取り囲む炉体を上方に移動させることにより、前記発熱体の発熱部分を前記光ファイバ母材の上端部に向けて移動させて、前記光ファイバの線引きを進行させ、
前記光ファイバの外径を測定するための外径測定器を、前記炉体と共に移動させることを特徴とする光ファイバ製造方法。
【請求項２】
前記発熱体として、コイルによって誘導加熱されるものを用いることを特徴とする請求項１記載の光ファイバ製造方法。
【請求項３】
前記光ファイバ母材の上部に、前記光ファイバ母材と実質的に同径のダミー部を設け、前記ダミー部を把持した状態で前記炉体を上方に移動させることを特徴とする請求項１または２記載の光ファイバ製造方法。
【請求項４】
前記光ファイバ母材の上側部分を伸縮部材で覆い塞ぐと共に、前記伸縮部材の下端を前記炉体の上面部に連結し、その状態で前記炉体を上方に移動させることを特徴とする請求項１または２記載の光ファイバ製造方法。
【請求項５】
光ファイバ母材の下端部を発熱体により加熱させて、前記光ファイバ母材から光ファイバを線引きする光ファイバ製造方法であって、
前記発熱体として、コイルによって誘導加熱されるものを用い、
前記コイルを前記発熱体の周囲に配置し、前記発熱体に対して前記コイルを上方に移動させることにより、前記発熱体の発熱部分を前記光ファイバ母材の上端部に向けて移動させて、前記光ファイバの線引きを進行させることを特徴とする光ファイバ製造方法。
【請求項６】
光ファイバ母材の下端部を発熱体により加熱させて、前記光ファイバ母材から光ファイバを線引きする光ファイバ製造方法であって、
前記発熱体として、コイルによって誘導加熱されるものを用い、
前記コイルを前記発熱体の周囲に上下方向に複数配置し、前記複数のコイルのうち通電するコイルを下方から上方へ切り換えることにより、前記発熱体の発熱部分を前記光ファイバ母材の上端部に向けて移動させて、前記光ファイバ母材から光ファイバの線引きを進行させることを特徴とする光ファイバ製造方法。
【請求項７】
前記発熱体を取り囲む炉体における前記光ファイバ母材が挿入される上部開口部をシールした状態で、前記光ファイバの線引きを行うことを特徴とする請求項１〜６のいずれか一項記載の光ファイバ製造方法。
【請求項８】
前記光ファイバの線引きを行うときに、前記発熱体の中心軸と前記光ファイバ母材の中心軸とが一致するように、前記発熱体または前記光ファイバ母材を前記光ファイバ母材の軸心に垂直な方向に移動させることを特徴とする請求項１〜７のいずれか一項記載の光ファイバ製造方法。
【請求項９】
前記光ファイバ母材をその軸心回りに回転させながら、前記光ファイバの線引きを行うことを特徴とする請求項１〜８のいずれか一項記載の光ファイバ製造方法。
【請求項１０】
光ファイバ母材の下端部を発熱体により加熱させて、前記光ファイバ母材から光ファイバを線引きする光ファイバ製造装置であって、
前記発熱体の発熱部分を前記光ファイバ母材の上端部に向けて移動させる移動手段を備え、
前記発熱体の周囲には、前記発熱体を電磁誘導して加熱させるコイルが配置され、
前記移動手段は、前記発熱体に対して前記コイルを上方に移動させる手段であることを特徴とする光ファイバ製造装置。
【請求項１１】
光ファイバ母材の下端部を発熱体により加熱させて、前記光ファイバ母材から光ファイバを線引きする光ファイバ製造装置であって、
前記発熱体の発熱部分を前記光ファイバ母材の上端部に向けて移動させる移動手段を備え、
前記発熱体の周囲には、前記発熱体を電磁誘導して加熱させるコイルが上下方向に複数配置され、
前記移動手段は、前記複数のコイルのうち通電するコイルを下方から上方へ切り換える手段であることを特徴とする光ファイバ製造装置
【手続補正２】
【補正対象書類名】明細書
【補正対象項目名】０００５
【補正方法】変更
【補正の内容】
【０００５】
本発明は、光ファイバ母材の下端部を発熱体により加熱させて、光ファイバ母材から光ファイバを線引きする光ファイバ製造方法であって、発熱体を取り囲む炉体を上方に移動させることにより、発熱体の発熱部分を光ファイバ母材の上端部に向けて移動させて、光ファイバの線引きを進行させ、光ファイバの外径を測定するための外径測定器を、炉体と共に移動させることを特徴とするものである。
【手続補正３】
【補正対象書類名】明細書
【補正対象項目名】０００７
【補正方法】変更
【補正の内容】
【０００７】
また、発熱体を取り囲む炉体を上方に移動させることにより、発熱体の発熱部分を光ファイバ母材の上端部に向けて移動させると、比較的簡単な構造で、発熱体の発熱部分を光ファイバ母材の上端部に向けて移動させることができると共に、発熱体の加熱制御が容易に行える。また、光ファイバ母材を線引き開始位置にもっていく時も、炉体を上方に移動させればよいので、光ファイバ母材を殆ど下降させなくて済む。従って、更に高さ方向の省スペース化を図ることが可能となる。
さらに、一般に光ファイバ製造装置では、炉体の下に外径測定器が設置されている。このような外径測定器を炉体と共に移動させることにより、光ファイバ母材のネックダウン部（母材が細くなって光ファイバになっていく部位）と外径測定器との距離が常に一定になる。従って、炉体を上方に移動させても、外径測定器による測定精度は一定に保たれる。
【手続補正４】
【補正対象書類名】明細書
【補正対象項目名】０００９
【補正方法】削除
【補正の内容】
【手続補正５】
【補正対象書類名】明細書
【補正対象項目名】００１２
【補正方法】変更
【補正の内容】
【００１２】
また、本発明は、光ファイバ母材の下端部を発熱体により加熱させて、光ファイバ母材から光ファイバを線引きする光ファイバ製造方法であって、発熱体として、コイルによって誘導加熱されるものを用い、コイルを発熱体の周囲に配置し、発熱体に対してコイルを上方に移動させることにより、発熱体の発熱部分を光ファイバ母材の上端部に向けて移動させて、光ファイバの線引きを進行させることを特徴とするものである。
このような本発明においては、少なくとも光ファイバ母材の下端部に発熱体を対向させた状態で、発熱体により光ファイバ母材を加熱溶融させて、光ファイバの線引きを開始する。そして、光ファイバの線引きの進行につれて、発熱体の発熱部分を光ファイバ母材の上端部に向けて移動させる。これにより、光ファイバの線引き進行中には、光ファイバ母材を下方に移動させなくて済むため、光ファイバ母材の上下方向の移動量を最小限に抑えることができる。従って、高さ方向の省スペース化を図ることが可能となる。
また、発熱体として、コイルによって誘導加熱されるものを用い、コイルを発熱体の周囲に配置し、発熱体に対してコイルを上方に移動させることにより、発熱体の発熱部分を光ファイバ母材の上端部に向けて移動させると、発熱体の加熱制御を容易にしつつ、発熱体の発熱部分を光ファイバ母材の上端部に向けて移動させることができる。
【手続補正６】
【補正対象書類名】明細書
【補正対象項目名】００１３
【補正方法】変更
【補正の内容】
【００１３】
さらに、本発明は、光ファイバ母材の下端部を発熱体により加熱させて、光ファイバ母材から光ファイバを線引きする光ファイバ製造方法であって、発熱体として、コイルによって誘導加熱されるものを用い、コイルを発熱体の周囲に上下方向に複数配置し、複数のコイルのうち通電するコイルを下方から上方へ切り換えることにより、発熱体の発熱部分を光ファイバ母材の上端部に向けて移動させて、光ファイバの線引きを進行させることを特徴とするものである。
このような本発明においては、少なくとも光ファイバ母材の下端部に発熱体を対向させた状態で、発熱体により光ファイバ母材を加熱溶融させて、光ファイバの線引きを開始する。そして、光ファイバの線引きの進行につれて、発熱体の発熱部分を光ファイバ母材の上端部に向けて移動させる。これにより、光ファイバの線引き進行中には、光ファイバ母材を下方に移動させなくて済むため、光ファイバ母材の上下方向の移動量を最小限に抑えることができる。従って、高さ方向の省スペース化を図ることが可能となる。
また、発熱体として、コイルによって誘導加熱されるものを用い、コイルを発熱体の周囲に上下方向に複数配置し、複数のコイルのうち通電するコイルを下方から上方へ切り換えることにより、発熱体の発熱部分を光ファイバ母材の上端部に向けて移動させると、炉体等を移動させるための設備が不要となるので、設備コストを低く抑えることができる。
【手続補正７】
【補正対象書類名】明細書
【補正対象項目名】００１７
【補正方法】変更
【補正の内容】
【００１７】
また、本発明は、光ファイバ母材の下端部を発熱体により加熱させて、光ファイバ母材から光ファイバを線引きする光ファイバ製造装置であって、発熱体の発熱部分を光ファイバ母材の上端部に向けて移動させる移動手段を備え、発熱体の周囲には、発熱体を電磁誘導して加熱させるコイルが配置され、移動手段は、発熱体に対してコイルを上方に移動させる手段であることを特徴とするものである。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
また、本発明は、光ファイバ母材の下端部を発熱体により加熱させて、光ファイバ母材から光ファイバを線引きする光ファイバ製造装置であって、発熱体の発熱部分を光ファイバ母材の上端部に向けて移動させる移動手段を備え、発熱体の周囲には、発熱体を電磁誘導して加熱させるコイルが上下方向に複数配置され、移動手段は、複数のコイルのうち通電するコイルを下方から上方へ切り換える手段であることを特徴とするものである。
このように移動手段を設けることにより、上記の光ファイバ製造方法を実施することが可能となる。これにより、上述したように、光ファイバの線引き進行中に、光ファイバ母材を下方に移動させなくて済むため、光ファイバ母材の上下方向の移動量を最小限に抑えることができる。従って、高さ方向の省スペース化を図ることが可能となる。